(57)【要約】【課題】表面に現れるように形成された筋状物によって幾何学的な模様を表現することができる敷設物、及び敷設構造を提供することを課題とする。【解決手段】多角形の外周形状を画定する複数の辺を備え、複数枚が辺同士を接触させて敷設される敷設物１であって、複数の辺によって画定された表面領域Ｓに、敷設物本体を構成する素材に基づく直線状に形成された複数の筋状物３が隣り合うように並んで形成され、複数の筋状物３は、少なくとも一方の端部が前記複数の辺のうちの少なくとも１辺に到達し、且つ前記少なくとも１辺に対して傾斜するように形成されている敷設物１。【選択図】図１
2019069102.tif 000002
【特許請求の範囲】
【請求項１】
多角形の外周形状を画定する複数の辺を備え、複数枚が辺同士を接触させて敷設される敷設物であって、
複数の辺によって画定された表面領域に、敷設物本体を構成する素材に基づく直線状に形成された複数の筋状物が隣り合うように並んで形成され、
複数の筋状物は、少なくとも一方の端部が前記複数の辺のうちの少なくとも１辺に到達し、且つ前記少なくとも１辺に対して傾斜するように形成されている敷設物。
【請求項２】
多角形の外周形状を画定する端縁を備え、複数枚が端縁同士を接触させて敷設される敷設物であって、
端縁によって画定された表面領域に、敷設物本体を構成する素材に基づく直線状に形成された複数の筋状物が隣り合うように並んで形成され、
前記表面領域内に、複数の筋状物が第１の方向に延びるように形成された第１敷設部と、該第１の方向とは異なる方向に複数の筋状物が延びるように形成された第２敷設部と、を備え、
第１敷設部と第２敷設部とは、第１敷設部内の複数の筋状物と第２敷設部内の複数の筋状物とが屈曲して繋がるように接続されている敷設物。
【請求項３】
前記第１敷設部には、前記第２敷設部を嵌め込むための嵌込孔が形成され、前記第２敷設部は、該嵌込孔に嵌め込まれることで、第１敷設部に接続されている請求項２に記載の敷設物。
【請求項４】
多角形の外周形状を画定する端縁を備え、端縁によって画定された表面領域に、敷設物本体を構成する素材に基づく直線状に形成された複数の筋状物が隣り合うように並んで形成された複数の敷設物が、端縁同士を接触させて敷設されて構成され、
複数の敷設物のうちの少なくとも１枚の敷設物は、前記表面領域内に、複数の筋状物が第１の方向に延びるように形成された第１敷設部と、該第１の方向とは異なる方向に複数の筋状物が延びるように形成された第２敷設部と、を備え、
第１敷設部と第２敷設部とは、第１敷設部内の複数の筋状物と第２敷設部内の複数の筋状物とが屈曲して繋がるように接続されている敷設構造。
【請求項５】
前記複数の筋状物は、所定の色彩で形成された第１の筋状物と、該第１の筋状物とは異なる色彩で形成された第２の筋状物とを含んでいる請求項１〜３の何れか１項に記載の敷設物。
【請求項６】
前記複数の筋状物がパイル列に基づいて形成されたタイルカーペットである、請求項１〜３，５の何れか１項に記載の敷設物。
【発明の詳細な説明】
【技術分野】
【０００１】
本発明は、床等の敷設対象に敷設される敷設物、及び該敷設物から成る敷設構造に関する。
【背景技術】
【０００２】
従来から、矩形状に形成され、端縁に沿ってパイル列が延びるように形成されたタイルカーペットが公知である。タイルカーペットは、タフト機でパイルが形成され、パイル列がステッチ方向に直線状に形成されている。
【０００３】
例えば、特許文献１に開示されているように、上記従来のタイルカーペットは、正方形に形成され、隣接するタイルカーペットの端縁同士を突き合わせながら床等に敷設される。このタイルカーペットでは、パイル列は、パイル糸のステッチ方向が正方形を構成する４辺のうちの対向する２辺に対して平行となるように形成され、残りの２辺に対しては直交するように形成されている。このタイルカーペットの敷設方式としては、隣接するタイルカーペットのパイル糸のステッチ方向が直交するように複数枚のタイルカーペットを敷設していく市松貼り方式、隣接するタイルカーペットのパイル糸のステッチ方向が平行となるように複数枚のタイルカーペットを敷設していく流し貼り方式、などが知られている。
【０００４】
市松貼り方式は、隣接するタイルカーペットのタフトの向きが直交するようにタイルカーペットを敷設するので、床面全体を見る者に対して、市松模様の仕上がり外観を与えることができる。また、流し貼り方式は、隣接するタイルカーペットのタフトの向きが一方向に揃うようにタイルカーペットを敷設するので、床面全体を見る者に対して、あたかも１枚のカーペットの如き仕上がり外観を与えることができる。
【先行技術文献】
【特許文献】
【０００５】
【特許文献１】特開２０１４−２３７４４号公報
【発明の概要】
【発明が解決しようとする課題】
【０００６】
しかしながら、上記従来のタイルカーペットでは、ステッチ方向に直線状にパイルが形成されるので、タイルカーペットのパイル列が隣接するタイルカーペットの間で直交するか、平行となるかのパターンに限られ、複数のタイルカーペットを敷設した際に表される模様が全体として単調になってしまうという問題がある。
【０００７】
なお、このような問題は、パイル列を有するタイルカーペットに限られるものではなく、ストライプ状の模様を表す筋状物が形成された敷設物全般に存在する。
【０００８】
そこで、本発明は、かかる実情に鑑み、表面に現れるように形成された筋状物によって幾何学的な模様を表現することができる敷設物、及び敷設構造を提供することを課題とする。
【課題を解決するための手段】
【０００９】
本発明に係る敷設物は、多角形の外周形状を画定する複数の辺を備え、複数枚が辺同士を接触させて敷設される敷設物であって、
複数の辺によって画定された表面領域に、敷設物本体を構成する素材に基づく直線状に形成された複数の筋状物が隣り合うように並んで形成され、
複数の筋状物は、少なくとも一方の端部が前記複数の辺のうちの少なくとも１辺に到達し、且つ前記少なくとも１辺に対して傾斜するように形成されている。
【００１０】
かかる構成によれば、敷設物は、自身の辺のうちの筋状物が傾斜するように構成された辺と、隣に敷設される敷設物の辺のうちの筋状物が渡って延びる２辺における何れか一方の辺とが接触するように敷設されることで、自身の筋状物における少なくとも一方の端部と隣に敷設される敷設物の筋状物の端部とが繋がって、敷設物間で筋状物が屈曲するように表される。そのため、上記構成の敷設物を含めて複数枚の敷設物が敷設されると、複数枚の敷設物全体として、表面に幾何学的な模様を表現することができる。
【００１１】
本発明に係る敷設物は、多角形の外周形状を画定する端縁を備え、複数枚が端縁同士を接触させて敷設される敷設物であって、
端縁によって画定された表面領域に、敷設物本体を構成する素材に基づく直線状に形成された複数の筋状物が隣り合うように並んで形成され、
前記表面領域内に、複数の筋状物が第１の方向に延びるように形成された第１敷設部と、該第１の方向とは異なる方向に複数の筋状物が延びるように形成された第２敷設部と、を備え、
第１敷設部と第２敷設部とは、第１敷設部内の複数の筋状物と第２敷設部内の複数の筋状物とが屈曲して繋がるように接続されている。
【００１２】
かかる構成によれば、１枚の敷設物の表面領域内で複数の筋状物が屈曲するように表されるので、１枚の敷設物の表面に筋状物による幾何学的な模様が表される。そのため、かかる構成の敷設物を含む複数枚の敷設物が敷設されることで、全体として幾何学的な模様を表現することができる。
【００１３】
本発明の一態様として、前記第１敷設部には、前記第２敷設部を嵌め込むための嵌込孔が形成され、前記第２敷設部は、該嵌込孔に嵌め込まれることで、第１敷設部に接続されていてもよい。
【００１４】
かかる構成によれば、第２敷設部が第１敷設部に嵌め込まれることで１枚の敷設物が形成されるので、第２敷設部を第１敷設部に嵌め込んで取り扱うことで敷設物を一体的に取り扱い易くなり、敷設物の取り扱いが容易である。
【００１５】
本発明に係る敷設構造は、多角形の外周形状を画定する端縁を備え、端縁によって画定された表面領域に、敷設物本体を構成する素材に基づく直線状に形成された複数の筋状物が隣り合うように並んで形成された複数の敷設物が、端縁同士を接触させて敷設されて構成され、
複数の敷設物のうちの少なくとも１枚の敷設物は、前記表面領域内に、複数の筋状物が第１の方向に延びるように形成された第１敷設部と、該第１の方向とは異なる方向に複数の筋状物が延びるように形成された第２敷設部と、を備え、
第１敷設部と第２敷設部とは、第１敷設部内の複数の筋状物と第２敷設部内の複数の筋状物とが屈曲して繋がるように接続されている。
【００１６】
かかる構成によれば、複数の敷設物のうちの少なくとも１枚の敷設物の表面領域内で、複数の筋状物が屈曲するように表されるので、該１枚の敷設物の表面に筋状物による幾何学的な模様が表される。そのため、かかる構成の敷設構造は、複数枚の敷設物が敷設された状態の全体として、幾何学的な模様を表現することができる。
【００１７】
本発明の一態様として、前記複数の筋状物は、所定の色彩で形成された第１の筋状物と、該第１の筋状物とは異なる色彩で形成された第２の筋状物とを含んでいてもよい。
【００１８】
かかる構成によれば、敷設物の表面に、明暗を表すことができ、筋状物による幾何学的な模様をはっきりと表現することができる。
【００１９】
本発明の一態様として、敷設物は、前記複数の筋状物がパイル列に基づいて形成されたタイルカーペットであってもよい。
【００２０】
かかる構成によれば、タイルカーペットの表面に、パイル列によって幾何学的な模様を表現することができる。
【発明の効果】
【００２１】
以上より、本発明によれば、表面に現れるように形成された筋状物によって幾何学的な模様を表現することができる敷設物、及び敷設構造を提供することができる。
【図面の簡単な説明】
【００２２】
【図１】第１実施形態に係る敷設物の平面図であって、第２敷設部が打ち抜かれ、第１敷設部と並べて床等の載置面に載置された状態の平面図である。
【図２】パイル列の拡大図である。
【図３】敷設物の表面の拡大図である。
【図４】第１実施形態に係る敷設物を２枚並べた状態の平面図である。
【図５】第１実施形態に係る敷設物を複数枚並べた状態の平面図であって、敷設構造を説明するための平面図である。
【図６】第２実施形態に係る敷設物を複数並べた状態の平面図である。
【図７】第１実施形態に係る敷設物の第１変形例である。
【図８】第１実施形態に係る敷設物の第２変形例である。
【図９】第１実施形態に係る敷設物の第３変形例である。
【図１０】第１実施形態に係る敷設物の第４変形例である。
【図１１】第１実施形態に係る敷設物の第５変形例であって、（ａ）は、第２敷設部の平面図であり、（ｂ）は、該第５変形例に係る敷設物を２枚並べた状態の平面図である。
【図１２】第２実施形態に係る敷設物の第１変形例である。
【図１３】第１実施形態に係る敷設物の筋状物よる他のパターンを説明するための図であって、（ａ）は、全体的な濃淡の差が小さく表された敷設物、（ｂ）筋状物によってうねったストライプ状の柄が表された敷設物である。
【発明を実施するための形態】
【００２３】
本発明の敷設物は、床面に敷設する床用敷設物、および壁面に敷設する壁用敷設物を含む。以下、本発明の第１実施形態に係る敷設物について、図面を参照しつつ説明する。本実施形態では、敷設物を敷設対象としての床に敷設する床用敷設物について説明する。
【００２４】
図１に示すように、第１実施形態に係る敷設物１は、多角形の外周形状を画定する端縁２を備え、複数枚が端縁２同士を接触させて敷設される。敷設物１は、端縁２によって画定された表面領域Ｓに、敷設物本体を構成する素材に基づく直線状に形成された複数の筋状物３が隣り合うように並んで形成されている。敷設物１は、前記表面領域Ｓ内に、複数の筋状物３が第１の方向に延びるように形成された第１敷設部４と、該第１の方向とは異なる方向に複数の筋状物３が延びるように形成された第２敷設部５と、を備える。第１敷設部４と第２敷設部５とは、第１敷設部４内の複数の筋状物３と第２敷設部５内の複数の筋状物３とが屈曲して繋がるように接続されている。
【００２５】
図１に示すように、本実施形態の敷設物１は、矩形状に形成されている。具体的には、敷設物１は、正方形状に形成されている。そのため、敷設物１は、端縁２として、該正方形状を画定する４つの辺２を有する。敷設物１は、例えば、５００ｍｍ×５００ｍｍの正方形状となるように形成されている。
【００２６】
本実施形態では、敷設物１は、例えば、図２に示すように、複数の筋状物３がパイル列３０に基づいて形成されたタイルカーペット１である。また、本実施形態では、敷設物本体を構成する素材とは、例えば、タイルカーペット１の表面を構成するパイル３０１である。そして、複数の筋状物３は、パイル３０１が一方向、即ちステッチ方向に並ぶことで構成されたパイル列３０によって形成されている。
【００２７】
図２に示すように、パイル３０１は、バッキング層９の上に設けられた基布８に対してタフトされた糸によって形成され、基布８から上方に延び、基布８の表面に露出した部分によってタイルカーペット１の表面領域Ｓを構成している。パイル３０１は、タイルカーペット１の表面の色柄を表している。パイル３０１は、例えば、異種類の原料糸を引きそろえて撚り合わせた交撚糸や２色以上のマルチフィラメントを撚糸によることなく収束させた混繊糸によって形成することができる。パイル列３０は、パイル３０１が基布８上でステッチ方向に並ぶことによって構成されている。本実施形態では、パイル３０１は、該パイル３０１を構成する糸が基布８に対して直線状にタフトされることによって（いわゆる、ストレートタフトによって）形成され、一方向（ステッチ方向）に延びる直線状のパイル列３０を構成している。
【００２８】
パイル列３０は、ステッチ方向に対して直交する方向、即ちゲージ方向に隣り合うように複数形成され、タイルカーペット１の表面領域Ｓの略全域に亘って形成されている。パイル列３０は、タイルカーペット１の表面領域Ｓに、直線状に形成された複数の筋状物３として表れている。このように、パイル列３０は、ゲージ方向に並んで複数形成されることで、タイルカーペット１の表面領域Ｓにストライプ状の柄を表している。
【００２９】
筋状物３は、例えば、図３に示すように、筋状物３が所定の幅Ｗを有するように形成されている場合、筋状物３は、所定の幅Ｗを有する糸によって形成されることで、１列のパイル列３０で構成されていてもよい。また、筋状物３は、同じ色彩の複数のパイル列３０が隣り合って並ぶことによって構成されていてもよい。
【００３０】
複数の筋状物３は、隣り合う列の色彩が異なるようにパイル列３０が配列されることによって、又はパイル列３０自身によって、ストライプ状の柄を表している。色彩とは、色相、彩度、明度からなる概念であるが、本明細書においては、金属色、蛍光色、構造色なども含む概念である。色彩が異なるとは、隣り合う筋状物３の違いを人が視認できる程度であればよい。具体的には、図２に示すように、所定の列３０ａのパイル３０１ａの色彩と該所定の列３０ａの隣の列３０ｂのパイル３０１ｂの色彩とが異なるようにパイル列３０を配列することで、該隣り合うパイル列３０ａ，３０ｂ間で色彩の変化が生じ、ストライプ状の柄が表される。また、図２に示されるように、隣り合うパイル列３０ａ，３０ｂのパイル高さ（図２のＨａ，Ｈｂで示される部分の高さ）が異なるように、又は同じパイル列３０の中で、高いパイル３０１と低いパイル３０１とが混在するようにパイル列３０が形成されることでストライプ状の柄が表される。
【００３１】
図３に示すように、複数の筋状物３は、所定の色彩を有する第１の筋状物３１と、該第１の筋状物３１とは異なる色彩を有する第２の筋状物３２とを含んでいる。筋状物３は、第１の筋状物３１の色彩と第２の筋状物３２の色彩とを異なる色彩にすることによって表されてもよいし、パイル３０１の高さを変えることによって表されてもよい。
【００３２】
人が視認することにより隣り合う筋状物３が異なる筋状物３であることを認識できる程度について確認するために、隣り合う筋状物３の色彩を種々変更し、隣り合う筋状物３の色差（ΔＥ）を測定した。以下、測定方法及び測定結果について説明する。
【００３３】
比較例及び実施例の作成方法について説明する。
ＢＣＦナイロン（登録商標）のマルチフィラメントの白糸（繊度：２７７０ｄｔｅｘ）を用い、基布８に以下のタフト条件によりタフトして生機を作成した。
タフト条件：１／１０ゲージ、１１．５ステッチ、目付け６００ｇ／ｍ２、パイル高さ２．５ｍｍと３．５ｍｍのループパイルをゲージ方向に交互に形成
作成された生機を以下の表１のパイルの色彩における各色彩（グレー、紺、黒、黄、オレンジ、水色、青、赤、ワインレッド、白）に染色し、各色彩の生機を作成した。各色彩の生機の裏にバッキング層９を積層し、５００ｍｍ×５００ｍｍに裁断して、タイルカーペット１を作成した。続いて、作成した各タイルカーペット１を、パイル列３０が２列ずつ含まれるように裁断した。このタイルカーペット１の裁断物のうちの２種類の裁断物をゲージ方向に並べ、色差（ΔＥ）の測定、及び評価を行った。色差（ΔＥ）の測定は、コニカミノルタ製の色彩色差計「ＣＲ−２００」を用い、比較例及び実施例に対して５回測定して平均値を算出した。
【００３４】
比較例として、隣り合う筋状物３を同色のグレーとした。また、実施例として９種類作成した。実施例として、同色を並べたもの（実施例１）、似寄り色を並べたもの（実施例２〜６）、反対色を並べたもの（実施例７〜９）を作成した。
【００３５】
比較例及び各実施例を視認することにより、隣り合う筋状物３が異なる筋状物３であると認識できるかについて評価した。評価方法としては、平面視で５０ｃｍ離れた位置から比較例及び各実施例を目視し、隣り合う筋状物３同士の違いを、容易に視認できる場合には「◎」、視認できる場合には「○」、困難だが視認できる場合には「△」、隣り合う筋状物３同士が一体となり、１つの太い筋状物として認識される場合には「×」とした。比較例及び実施例１〜９で採用したパイルの色彩の組み合わせ、色差（ΔＥ）及び評価結果を表１に示す。
【００３６】
【表１】
2019069102.tif 000003
【００３７】
表１の結果より、隣り合う筋状物３の色差（ΔＥ）としては、０．３以上であるのが好ましいと言える。隣り合う筋状物３の色差（ΔＥ）としては、５．０以上がより好ましく、５０以上が更に好ましい。隣り合う筋状物３の色差（ΔＥ）が５０以上となると、隣り合う筋状物３が異なる筋状物３であると認識され易い。以上の結果より、本実施形態では、第１の筋状物３１の色彩と第２の筋状物３２の色彩との色差（ΔＥ）について、０．３以上の値となるように設定する。
【００３８】
例えば、第１の筋状物３１及び第２の筋状物３２が複数のパイル列３０によって構成されている場合、第１の筋状物３１のパイル列３０を所定の色彩の第１の色で形成し、第２の筋状物３２のパイル列３０を、該第１の筋状物３１のパイル列３０とは異なる色彩の第２の色彩で形成することで、第１の筋状物３１が第１の色彩による筋として表され、第２の筋状物３２が第２の色彩による筋として表される。
【００３９】
また、例えば、全てのパイル３０１が第１の色彩で形成されている場合、第１の筋状物３１のパイル高さを第２の筋状物３２のパイル高さよりも高くすることによって、第１の筋状物３１が第２の筋状物３２に対して浮き上がるように表され、筋を表現することができる。このように、タイルカーペット１が同じ色彩（一色）のパイル３０１で形成されている場合であっても、第１の筋状物３１と第２の筋状物３２との相対的な高さを変えることで陰影をつけて、表面にストライプ状の柄を表現してもよい。
【００４０】
また、例えば、第１の筋状物３１の幅Ｗが第２の筋状物３２の幅Ｗよりも太く形成されている場合、第１の筋状物３１と第２の筋状物３２とを交互に配列することで、太い筋が際立ったストライプ状の柄を表現することができる。更には、第１の筋状物３１についてはパイル３０１の上部をカットして、第２の筋状物３２についてはパイル３０１のループを残すことで、上部がカットされた列とループ状に形成された列とを混在させ、全体として筋を表現してもよい。
【００４１】
また、例えば、複数の色彩が混在したパイル３０１を使用してパイル列３０を形成し、図２に示すように、同じ列３０内にパイル３０１が高い部分と低い部分とを形成してもよい。この場合、高い部分の色彩が表面に表れ、低い部分の色彩が隠れるため、例えば、隣り合うパイル列３０の色彩が連続して見えるようにパイル３０１の高さを調整することで、平面視でうねったストライプ状の柄を表現することもできる。
【００４２】
以上に例示した手段以外の手段によっても、第１の筋状物３１及び第２の筋状物３２の色彩、太さ、パイル高さ等を適宜変更することによって、タイルカーペット１の表面に、様々なストライプ状の柄を形成することができる。
【００４３】
図１に示すように、第１敷設部４には、複数の筋状物３としての第１ストライプ３４０が第１の方向に延びるように形成されている。本実施形態の第１敷設部４には、第２敷設部５を嵌め込むための嵌込孔４０が形成されている。
【００４４】
第１敷設部４は、該第１敷設部４の外周形状を画定する端縁２としての第１外端縁４１と、嵌込孔４０の開口端縁を構成する第１内端縁４２とを備える。本実施形態では、第１敷設部４は、正方形状に形成されており、端縁２として、該正方形状を画定する４つの辺２を有する。第１ストライプ３４０は、４つの辺のうちの２辺に対して平行に形成され、残りの２辺に対しては、直交するように形成されている。そのため、第１敷設部４は、第１ストライプ３４０に対して平行に形成され、第１の方向に延びる第１辺２０と、第１ストライプ３４０に対して直交するように形成され、第１の方向に直交する方向に延びる第２辺２１とを有する。
【００４５】
本実施形態の第１敷設部４では、嵌込孔４０は、正方形状に開口している。嵌込孔４０は、第１外端縁４１が延びる方向と第１内端縁４２が延びる方向とが４５度で交差するように開口している。また、嵌込孔４０は、自身の中心が敷設物１の中心と一致するように開口している。第１ストライプ３４０は、第１内端縁４２に対して傾斜するように形成されている。本実施形態では、第１ストライプ３４０は、第１内端縁４２に対して４５度傾斜するように形成されている。
【００４６】
第２敷設部５には、複数の筋状物３としての第２ストライプ３５０が第１の方向とは異なる方向に延びるように形成されている。以下、第２ストライプ３５０が延びる方向を第２の方向と称する。第２の方向は、第２敷設部５のステッチ方向である。第２敷設部５は、該嵌込孔４０に嵌め込まれることで、第１敷設部４に接続されている。第２敷設部５は、該第２敷設部５の外周形状を画定する第２外端縁５１を備える。第２敷設部５は、嵌込孔４０と略同じ形状及び大きさで形成されており、嵌込孔４０に嵌め込まれると、第２外端縁５１が第１敷設部４の第１内端縁４２と接触するようになっている。
【００４７】
即ち、第２敷設部５は、正方形状に形成されており、該正方形状を画定する４つの辺を有する。第２ストライプ３５０は、少なくとも一方の端部が４つの辺のうちの少なくとも１辺に到達し、且つ前記少なくとも１辺に対して傾斜するように形成されている。本実施形態では、第２ストライプ３５０は、両端部が正方形の頂点Ｐを介して交差する２辺に到達し、且つ該２辺に対して傾斜するように形成されている。本実施形態では、第２ストライプ３５０は、前記２辺に対して４５度傾斜するように形成されている。第２敷設部５は、２つの対角線のうちの一方の対角線が第１敷設部４の第１辺２０に対して直交するように形成され、他方の対角線が第１敷設部４の第２辺２１に対して直交するように形成されている。図１に示すように、一方の対角線は、第２の方向に、他方の対角線は、第１の方向に一致している。
【００４８】
本実施形態のタイルカーペット１は、一枚の矩形状のカーペット生機であって、パイル列３０に基づいて形成されたストライプが、対向する２辺に対して平行に形成され、残りの２辺に対して直交するように形成されたカーペット生機を打ち抜くことで形成されている。具体的には、タイルカーペット１は、まず、カーペット生機を所定の形状（本実施形態では、５００ｍｍ×５００ｍｍの正方形状）に裁断することによって一枚のカーペット単位片が形成され、続いて、このカーペット単位片の端縁２よりも内側を打ち抜き刃によって所定の形状（本実施形態では、３０３ｍｍ×３０３ｍｍの正方形状）打ち抜くことによって形成される。
【００４９】
具体的には、図１に示すように、タイルカーペット１は、正方形状に裁断された後のカーペット単位片の中央部分を正方形状に打ち抜き、打ち抜かれた内側部を９０度回転させ、残った外側部に該内側部が嵌め込まれることによって形成されている。本実施形態では、打ち抜かれた内側部が第２敷設部５であり、第２敷設部５が打ち抜かれて残った外側部が第１敷設部４である。タイルカーペット１は、第１敷設部４に第２敷設部５が嵌め込まれた状態のものあって、第１敷設部４の嵌込孔４０に嵌め込まれる第２敷設部５は、他のカーペット単位片から打ち抜かれた内側部であってもよい。
【００５０】
図４に示すように、タイルカーペット１は、第１ストライプ３４０の端部と第２ストライプ３５０の端部とが、第１内端縁４２と第２外端縁５１との接触部分で繋がるように、第１敷設部４と第２敷設部５とが相対的に回転されて構成されている。本実施形態では、説明の便宜上、第２敷設部５が第１敷設部４に対して回転され、嵌込孔４０に嵌め込まれるものとするが、第１敷設部４を第２敷設部５に対して回転させてもよい。
【００５１】
即ち、第２敷設部５は、自身の中心周りに回転することによって、自らと重なる形状を有する回転対称体である。例えば、Ｘ度回転することによって自身と重なる形状を有する回転対称体を、３６０／Ｘ＝ＹとしてＹ回対称の回転対称体とする。尚、Ｙを整数とし、Ｙ回回転することによって３６０度回転し、元の状態に戻る。正方形のように９０度回転して自身と重なる回転対称体は、３６０／９０＝４として、４回対称の回転対称体である。
【００５２】
本実施形態では、タイルカーペット１は、第１ストライプ３４０と第２ストライプ３５０とが屈曲して繋がっている。そのため、３６０度回転して自身と重なる形状、及び１８０度回転して自身と重なる形状では、第１ストライプ３４０と第２ストライプ３５０とが直線状に繋がるので、本実施形態の回転対称体として、３６０／３６０＝１としての１回対称の回転対称体、及び３６０／１８０＝２としての２回対称の回転対称体は除かれる。例えば、１回対称の回転対称体としては、正３角形を除く３角形が該当し、２回対称の回転対称体としては、長方形や楕円形が該当する。
【００５３】
図５に示すように、第１ストライプ３４０と第２ストライプ３５０とが９０度の角を成すように繋がることで、複数枚のタイルカーペット１を敷設した場合に立体的で奥行き感のある整った形状の幾何学的な模様Ｔを表すことができ、美しい模様を表現することができる。即ち、本実施形態の第２敷設部５は、第２ストライプ３５０の端部を第１ストライプ３４０の端部に繋げることで第２ストライプ３５０が第１ストライプ３４０に対して９０度の角を成すように構成された回転対称体である。例えば、第２敷設部５は、本実施形態のような正方形としての４回対称、又は正８角形としての８（４×２）回対称、正１２角形としての１２（４×３）回対称等、４×ｎ回対称の回転対称体である。第２敷設部５が４回対称の回転対称体であれば、１回（９０度）、又は３回（２７０度）回転させることで、第２ストライプ３５０を第１ストライプ３４０に対して９０度傾斜させ得る。また、第２敷設部５が１２回対称の回転対称体であれば、３回（９０度）、又は９回（２７０度）回転させることで、第２ストライプ３５０を第１ストライプ３４０に対して９０度傾斜させ得る。
【００５４】
以上のように構成されたタイルカーペット１を敷設した状態の敷設構造１０について、図面を参照しつつ説明する。
【００５５】
図５に示すように、タイルカーペット１は、第１ストライプ３４０が延びる第１の方向に沿う方向である横方向、及び該第１の方向に直交する方向である縦方向に並ぶように敷設される。横方向で隣り合うタイルカーペット１は、第２辺２１同士が接触するように並べられる。縦方向で隣り合うタイルカーペット１は、第１辺２０同士が接触するように並べられる。本実施形態では、第２ストライプ３５０が第１ストライプ３４０に対して直交しているので、第２ストライプ３５０が延びる第２の方向が縦方向に一致している。
【００５６】
図４及び図５に示すように、第１敷設部４と第２敷設部５とを備える少なくとも２枚のタイルカーペット１を横方向に沿って並べると、第１ストライプ３４０及び第２ストライプ３５０によって閉じられた領域（例えば、２点鎖線で閉じられた領域）が複数形成され、該領域によって奥行きのある立体的な幾何学的模様Ｔが表される。
【００５７】
具体的に説明する。図４に示すように、横方向における一方側に位置するタイルカーペット１を第１タイルカーペット１ａ、他方側に位置するタイルカーペット１を第２タイルカーペット１ｂとする。第１タイルカーペット１ａの表面領域Ｓには、第１敷設部４と第２敷設部５との境界部分で屈曲しつつ、第２辺２１で途切れるような複数の屈曲状の筋が形成されている。同様に、第２タイルカーペット１ｂの表面領域Ｓには、第１敷設部４と第２敷設部５との境界部分で屈曲しつつ、第２辺２１で途切れるような複数の屈曲状の筋が形成されている。そして、少なくとも２枚のタイルカーペット１が上記の第２辺２１同士が接触するように並べられることで、第１タイルカーペット１ａの第１ストライプ３４０と第２タイルカーペット１ｂの第１ストライプ３４０とが、第２辺２１で直線的に繋がる。その結果、第１タイルカーペット１ａと第２タイルカーペット１ｂとを跨いで、大小、複数の閉じられた領域による（長方形状の）幾何学的模様Ｔが表される。
【００５８】
少なくとも２枚のタイルカーペット１が並べられることで、複数の幾何学的模様Ｔは、第２辺２１の中点側を内側として該内側から次第に大きくなるように幾重にも形成される。第２敷設部５における第２の方向で対向する２頂点Ｐ，Ｐ付近を通る第２ストライプ３５０、及び嵌込孔４０の４つの角部のうちの、該２頂点Ｐ，Ｐに対応する角部付近を通り、第２ストライプ３５０に繋がる第１ストライプ３４０を最外周として、該最外周を含めてその内側に立体的な模様Ｔが形成される。具体的には、図５に示すように、複数のタイルカーペット１が敷設された状態で、敷設構造１０の表面には複数の錐体状の立体が浮き上がるように表され、奥行きのある立体的な幾何学的模様となる。
【００５９】
図５では、敷設された全てのタイルカーペット１が本実施形態に係るタイルカーペット１である場合を例示した。しかしながら、第１タイルカーペット１ａと第２タイルカーペット１ｂとの間に、ストライプが一方向に形成された通常のタイルカーペットを、ストライプが横方向に延びるように少なくとも１枚設置することで、横方向に長尺な立体形状を表すようにしてもよい。また、本実施形態の敷設構造１０では、第１ストライプ３４０と第２ストライプ３５０とが９０度を成すように屈曲した同種のタイルカーペット１を使用しているが、異なるタイプのタイルカーペット１を並べてもよい。例えば、第１タイルカーペット１ａとして第２敷設部５が正方形状で形成された上記第１実施形態に係るタイルカーペット１を使用し、第２タイルカーペット１ｂとして第２敷設部５が正８角形状で、第２ストライプ３５０が第１ストライプ３４０に対して６０度傾斜したタイルカーペット１（例えば、図９の第２タイルカーペット１ｂを参照）を使用してもよい。本実施形態の変形例については、更に後述する。
【００６０】
第１実施形態に係る敷設物１についての説明は以上である。続いて、本発明の第２実施形態に係る敷設物１について、図面を参照しつつ説明する。尚、第１実施形態と共通する構成については同じ符号を付し、説明は繰り返さない。
【００６１】
図６に示すように、第２実施形態に係る敷設物１は、多角形の外周形状を画定する複数の辺２００を備え、複数枚が辺２００同士を接触させて敷設される。敷設物１は、複数の辺２００によって画定された表面領域Ｓに、敷設物本体を構成する素材に基づく直線状に形成された複数の筋状物３が隣り合うように並んで形成されている。複数の筋状物３は、少なくとも一方の端部が前記複数の辺２００のうちの少なくとも１辺２００に到達し、且つ前記少なくとも１辺２００に対して傾斜するように形成されている。
【００６２】
第２実施形態は、複数の筋状物３としての複数のストライプ３００が、１枚の敷設物１の表面領域Ｓ内で屈曲するのでは無く、他の敷設物１と並べられた状態で屈曲するように表される点で、第１実施形態とは異なる。
【００６３】
本実施形態では、敷設物１は、正方形状に形成されたタイルカーペット１である。即ち、本実施形態の敷設物１は、外周形状としての正方形状を画定する４つの辺２００を備える。しかしながら、敷設物１は、外周形状として正方形状に限定されず、長方形状、短冊状の外周形状を有していてもよい。
【００６４】
ストライプ３００は、４つの頂点Ｐのうちの１の頂点Ｐである第１頂点Ｐ１を介して隣り合う２辺２００，２００に亘って延びるように形成されている。即ち、ストライプ３００は、一方の端部が該２辺２００，２００のうちの１辺２００に到達し、他方の端部が他の１辺２００に到達している。また、ストライプ３００は、該２辺２００，２００の双方に対して傾斜するように形成され、第１頂点Ｐ１から離れるほど長くなるように形成されている。
【００６５】
本実施形態では、ストライプ３００は、タイルカーペット１の各辺２００に対して４５度傾斜するように形成されている。即ち、複数のストライプ３００のうち、第１頂点Ｐ１の隣に位置する第２頂点Ｐ２，Ｐ２であって、表面領域Ｓを介して対向する第２頂点Ｐ２，Ｐ２同士を繋ぐ対角線の近傍に形成されたストライプ３００が最も長くなっている。本実施形態では、ストライプ３００がタイルカーペット１の各辺２００に対して４５度傾斜するように形成されている場合について説明するが、ストライプ３００の各辺２００に対する傾斜角度は４５度に限定されるものではなく、自由に設定可能である。
【００６６】
以上のように構成されたタイルカーペット１を敷設した状態の敷設構造１０について、図面を参照しつつ説明する。
【００６７】
第２実施形態では、少なくとも４枚のタイルカーペット１が敷設されることで、大小、複数の閉じられた幾何学的模様Ｔが表される。具体的には、横方向に少なくとも２枚のタイルカーペット１が並べられ、縦方向に少なくとも２枚のタイルカーペット１が並べられることで、閉じられた領域が形成され、該領域によって奥行きのある立体的な幾何学的模様Ｔが表される。
【００６８】
具体的に説明する。隣り合う２枚のタイルカーペット１は、第１頂点Ｐ１同士が接触するように並べられる。縦方向に並ぶ２枚のタイルカーペット１であって、横方向における一方側に位置する２枚のタイルカーペット１を第１タイルカーペット部１１ａ、他方に位置する２枚のタイルカーペット１を第２タイルカーペット部１１ｂとする。第１タイルカーペット部１１ａの表面領域Ｓには、縦方向における一方のタイルカーペット１ａ１と他方のタイルカーペット１ａ２との境界部分で屈曲しつつ、接触した２つの第１頂点Ｐ１，Ｐ１を通る基準辺２０１であって縦方向に延びる基準辺２０１で途切れるような複数の屈曲状の筋が形成される。同様に、第２タイルカーペット部１１ｂの表面領域Ｓには、縦方向における一方のタイルカーペット１ｂ１と他方のタイルカーペット１ｂ２との境界部分で屈曲しつつ、接触した２つの第１頂点Ｐ１，Ｐ１を通る基準辺２０１であって縦方向に延びる基準辺２０１で途切れるような複数の屈曲状の筋が形成される。
【００６９】
そして、少なくとも第１タイルカーペット部１１ａ及び第２タイルカーペット部１１ｂが、上記の基準辺２０１同士が接触するように並べられることで、第１タイルカーペット部１１ａのストライプ３００ａと第２タイルカーペット部１１ｂのストライプ３００ｂとが、基準辺２０１で屈曲して繋がる。その結果、４枚のタイルカーペットのうちの隣り合う２枚のタイルカーペット１間でストライプ３００が屈曲して繋がり、大小、複数の閉じられた幾何学的な模様Ｔが表される。
【００７０】
４枚のタイルカーペット１で幾何学的な模様Ｔを表現する場合には、図６に示すように、各タイルカーペット１の第１頂点Ｐ１が接触するように４枚のタイルカーペット１を並べる。即ち、４枚のタイルカーペット１を１セットとして該セットを複数敷設することで、横方向及び縦方向に対して所望の数の幾何学的な模様Ｔを表すことができる。
【００７１】
また、第１タイルカーペット部１１ａと第２タイルカーペット部１１ｂとの間に、ストライプが一方向に形成された通常のタイルカーペット１を、ストライプが横方向に延びるように少なくとも１枚設置することで、横方向に長尺な立体形状を表すようにしてもよい。
【００７２】
本実施形態のタイルカーペット１は、第１実施形態の第２敷設部５であってもよい。即ち、第２敷設部５を複数枚敷設することで、図６の敷設構造１０を構成してもよい。
【００７３】
以上のように、上記第１実施形態の敷設物１によれば、１枚の敷設物１の表面領域Ｓ内で複数の筋状物３が屈曲するように表されるので、１枚の敷設物１の表面に筋状物３による幾何学的な模様Ｔが表される。そのため、かかる構成の敷設物１を含む複数枚の敷設物１が敷設されることで、全体として幾何学的な模様Ｔを表現することができる。
【００７４】
また、上記第１実施形態によれば、第２敷設部５が第１敷設部４に嵌め込まれることで１枚の敷設物１が形成されるので、第２敷設部５を第１敷設部４に嵌め込んで取り扱うことで敷設物１を一体的に取り扱い易くなり、敷設物１の取り扱いが容易である。
【００７５】
また、上記第１実施形態によれば、複数の筋状物３は、所定の色彩で形成された第１の筋状物３１と、該第１の筋状物３１とは異なる色彩で形成された第２の筋状物３２とを含んでいるので、敷設物１の表面に、明暗を表すことができ、筋状物３による幾何学的な模様Ｔをはっきりと表現することができる。
【００７６】
また、上記第１及び第２実施形態によれば、敷設物１は、ストライプ状の柄を有するタイルカーペットを使用して形成することができるので、定番のタイルカーペットを使用して様々な模様を表現することができる。
【００７７】
また、上記第１実施形態によれば、敷設構造１０としては、複数のタイルカーペット１の一部に定番品をそのまま使用することができるので、定番品を活用しながらも模様のバリエーションを際限なく表現することができる。更に、定番品を使用して第１実施形態にかかるタイルカーペット１を形成することで、歩留まりを維持することができ、生産性の面からも有利である。
一般に、タイルカーペットは、タフト機でパイルが形成され、パイル列がステッチ方向に直線状に形成されており、パイルで表現する模様に限界があった。しかし、上記第１及び第２実施形態によれば、従来のタフト機を用いつつ、直線状に形成されるパイル列を組み合わせて屈曲させ、今までにない幾何学模様を簡易な構成で表出することができる。
【００７８】
尚、本発明の敷設物１は、上記実施形態に限定されるものではなく、本発明の要旨を逸脱しない範囲内において種々変更を加え得ることは勿論である。
【００７９】
上記実施形態では、主にタイルカーペット１（敷設物１）の発明として説明したが、複数のタイルカーペット１が、端縁２同士を接触させて敷設されて構成された敷設構造１０に係る発明として捉えることもできる。
【００８０】
即ち、本発明に係る敷設構造１０は、多角形の外周形状を画定する端縁２を備え、端縁２によって画定された表面領域Ｓに、敷設物本体を構成する素材に基づく直線状に形成された複数の筋状物３が隣り合うように並んで形成された複数の敷設物１が、端縁２同士を接触させて敷設されて構成されている。複数の敷設物１のうちの少なくとも１枚の敷設物１は、前記表面領域Ｓ内に、複数の筋状物３が第１の方向に延びるように形成された第１敷設部４と、該第１の方向とは異なる方向に複数の筋状物３が延びるように形成された第２敷設部５と、を備える。第１敷設部４と第２敷設部５とは、第１敷設部４内の複数の筋状物３と第２敷設部５内の複数の筋状物３とが屈曲して繋がるように接続されている。
【００８１】
かかる構成によれば、複数の敷設物１のうちの少なくとも１枚の敷設物１の表面領域Ｓ内で、複数の筋状物３が屈曲するように表されるので、該１枚の敷設物１の表面に筋状物３による幾何学的な模様Ｔが表される。そのため、かかる構成の敷設構造１０は、複数枚の敷設物１が敷設された状態の全体として、幾何学的な模様Ｔを表現することができる。
【００８２】
上記第１実施形態では、第１敷設部４に嵌込孔４０が形成され、該嵌込孔４０に第２敷設部５が嵌め込まれるタイプのタイルカーペット１について説明したがタイルカーペット１の形状としてはこれに限定されるものではない。例えば、図７に示すように、第１敷設部４は、縦方向における中央部でくびれるように形成され、第１敷設部４によって形成されたくびれ領域に第２敷設部５が嵌め込まれることで１枚のタイルカーペット１が構成されていてもよい。例えば、第１敷設部４は、一辺が５００ｍｍの正方形に形成され、第２敷設部５は、底辺が３０３ｍｍの直角二等辺三角形に形成される。このような形状のタイルカーペット１であっても、１枚の表面領域Ｓ上に屈曲状の筋が形成されるので、複数枚のタイルカーペット１を敷設することで、立体的な幾何学的模様Ｔを表すことができる。この場合、１枚のタイルカーペット１は、横方向における一方側の端縁２が内側に窪む凹状に、他方側の端縁２が外側に突出する凸状に形成された外周形状（図７で２点鎖線によって囲まれた形状）を成していてもよい。
【００８３】
上記第１実施形態では、Ｙを整数とし、第２敷設部５が多角形の回転対称体である場合について説明したがこれに限定されるものではない。図８に示すように、第２敷設部５は、円形状に形成されていてもよい。
【００８４】
上記第１実施形態では、第１ストライプ３４０と第２ストライプ３５０とが９０度を成すように屈曲して繋がっている場合について説明したがこれに限定されるものではない。図８に示す第２タイルカーペット１ｂのように、第２敷設部５を円形状に形成し、第２ストライプ３５０が第１ストライプ３４０に対して傾斜するように第１敷設部４に嵌め込まれていてもよい。例えば、円形状である第２敷設部５の直径は、第１敷設部４の一辺の長さに対して、１０％〜９９％であり、好ましくは３０％〜９０％であり、より好ましくは５０％〜８０％である。上限値以下であると、第１敷設部４の強度が担保され、下限値以上であると、意匠効果がより視認され易くなる。また、図８において、第２敷設部５の回転角度は、左の第１タイルカーペット１ａが９０度、右の第２タイルカーペット１ｂが８０度であるが、１度〜９０度、好ましくは２度〜９０度の範囲で任意に設定することができる。また、第２敷設部５の回転角度をタイルカーペット１によって異なるよう設定することで、表現できる立体的模様Ｔのバリエーションを更に増やすことができる。もっとも、第２敷設部５の回転角度が全てのタイルカーペット１で同じとなるように設定してもよい。
更に図９に示すように、例えば、第２敷設部５が正８角形状で形成され、第１タイルカーペット１ａ及び第２タイルカーペット１ｂのうちの少なくとも一方のタイルカーペット１が、第２ストライプ３５０が第１ストライプ３４０に対して６０度の角を成すように構成されていてもよい。
【００８５】
上記第１実施形態では、第２敷設部５は、対角線が第１敷設部４の辺２に対して直交するように形成されている場合について説明したが、例えば、図１０に示すように、第２敷設部５は、対角線が第１敷設部４の辺２に対して傾斜するように形成されていてもよい。
【００８６】
上記第１実施形態では、第２敷設部５が正多角形である場合について紹介したが、第２敷設部５は、回転対称体で形成されていればよく、正多角形で形成されている場合に限定されるものではない。例えば図１１に示すように、第２敷設部５は、複雑な凹凸形状を成すように形成されていてもよい。この場合であっても、第２敷設部５の第２ストライプ３５０は、第２敷設部５の外周形状を画定する複数の辺のうちの少なくとも１辺に対して傾斜している。
【００８７】
上記第１実施形態では、タイルカーペット１が正方形状（例えば、５００ｍｍ×５００ｍｍの正方形状）に形成されている場合について説明したが、形状及びサイズは限定されるものではない。タイルカーペット１は、例えば、短冊状（例えば、２５０ｍｍ×１０００ｍｍの矩形状）に形成されていてもよい。また、タイルカーペット１は、多角形の外周形状を画定する端縁２を備え、複数枚が端縁２同士を接触させて敷設されていればよく、上記実施形態で説明した矩形状以外に、３角形状、６角形状等の多角形であってもよい。取り扱いや施工性に優れることから、正方形状が好ましい。
【００８８】
上記第１実施形態では、タイルカーペット１の１箇所が打ち抜かれた場合について説明しているが、これに限定されるものではない。タイルカーペット１は、１枚のタイルカーペット１内で複数個所打ち抜かれることによって形成されていてもよい。即ち、タイルカーペット１は、複数の第２敷設部５を備えていてもよい。
【００８９】
上記第１実施形態では、第１敷設部４及び第２敷設部５が正方形状に形成されている場合について説明したが、第１敷設部４及び第２敷設部５の形状については限定されるものではない。例えば、第１敷設部４を６角形状とし、第２敷設部５を円形状にするなど、第１敷設部４及び第２敷設部５の形状としては自由に設定することができ、様々なアレンジを施し得る。
【００９０】
第１実施形態に係るタイルカーペット１を敷設した敷設構造１０は、上記のように構成された各種のタイルカーペット１を適宜組み合せて構成することができる。
【００９１】
上記第２実施形態では、タイルカーペット１が正方形状に形成されている場合について説明したが、これに限定されるものではない。例えば、図１２に示すように、タイルカーペット１は、三角形状に形成され、各タイルカーペット１の第１頂点Ｐ１同士が接触するように敷設されることで立体的な形状を表していてもよい。
【００９２】
上記実施形態では、ストレートタフトによってパイル列３０が直線状に形成されている場合について説明したが、これに限定されるものではない。複数の筋状物３として、タイルカーペット１の表面領域Ｓ上を走るような直線的なストライプ状の柄を形成することができれば、例えば、パイル列３０は、ニードルシフトによって若干蛇行するように形成されていてもよい。また、パイル列３０は、ストレートタフト、及びニードルシフトを併用することによって形成されていてもよい。
【００９３】
上記実施形態では特に言及するものでは無いが、直線状に形成された複数の筋状物３に係る「直線状」は、うねりを有する波のような態様、蛇行した態様、破線や点線が連続することで全体としてストライプ状に形成されている態様も含まれる概念である。
【００９４】
上記第１及び第２実施形態では、敷設物１は、複数の筋状物３がパイル列３０に基づいて形成されたタイルカーペット１である場合について説明したが、これに限定されるものではない。敷設物１は、例えば、ＪＩＳ  Ａ ５ ７ ０ ５で規定されるコンポジションビニル床タイルや、単層ビニル床タイルであってもよい。例えば、コンポジションビニル床タイルは、塩化ビニル樹脂、フィラー、可塑剤、安定剤等を含む樹脂配合物が均一に混合された樹脂組成物を、ロールによる圧延（カレンダー成形）により板状に延ばすことで連続的に形成される。コンポジションビニル床タイルでは、模様を構成するために樹脂組成物に含有されたチップが圧延方向に延ばされ、表面に流れ模様が表される。この場合、敷設物本体を構成する素材としては、樹脂組成物に含有されたチップであり、複数の筋状物３としては、圧延方向に延ばされたチップであってもよい。以上のように、本発明は、コンポジションビニル床タイルや、単層ビニル床タイルのチップによって形成されるストライプ状の柄が表された床タイルに対しても採用し得る。
【００９５】
上記実施形態では、ストライプ状の柄を一例として紹介したが、敷設物１の表面には、例えば、パイル列３０の配列や樹脂組成物に含有されたチップの配合を工夫することで、例えば、図１３（ａ）に示されるように、複数の筋状物３がより明瞭に表されたストライプ状の柄や、図１３（ｂ）に示されるようなうねり模様を表すようにしてもよい。
【００９６】
上記実施形態では、敷設物１を床に敷設する場合について説明したが、これに限定されるものではない。敷設物１は、壁に貼り付けられる壁用敷設物であってもよい。即ち、敷設物１が敷設される場所については限定されるものではない。
【符号の説明】
【００９７】
１…タイルカーペット（敷設物）、１ａ…第１タイルカーペット、１ｂ…第２タイルカーペット、１１ａ…第１タイルカーペット部、１１ｂ…第２タイルカーペット部、１０…敷設構造、２…端縁、２０…第１辺、２１…第２辺、３…筋状物、３０…パイル列、３１…第１の筋状物、３２…第２の筋状物、３０１…パイル、３４０…第１ストライプ、３５０…第２ストライプ、４…第１敷設部、５…第２敷設部、８…基布、９…バッキング層、４０…嵌込孔、４１…第１外端縁、４２…第１内端縁、５１…第２外端縁、Ｈａ，Ｈｂ…パイル高さ、Ｓ…表面領域、Ｔ…模様、Ｗ…筋状物の幅
【図１】
2019069102.tif 000004
【図２】
2019069102.tif 000005
【図３】
2019069102.tif 000006
【図４】
2019069102.tif 000007
【図５】
2019069102.tif 000008
【図６】
2019069102.tif 000009
【図７】
2019069102.tif 000010
【図８】
2019069102.tif 000011
【図９】
2019069102.tif 000012
【図１０】
2019069102.tif 000013
【図１１】
2019069102.tif 000014
【図１２】
2019069102.tif 000015
【図１３】
2019069102.tif 000016